(57)【要約】      （修正有）【課題】透過率を自由に調整可能な調光ガラスの光を提供する。【解決手段】ガラスや合成樹脂などを素材とした２枚の透明板を平行に配置し、その２枚の透明板の間に、流動性がある有色かつ半透明な液体、気体、粒子などいずれか一種類の物質４を充填し、平行した２枚の透明板の間隔制御と、その間を充填している物質の充満状態を保持しながらその物質を移動させ、充填している物質の量の増減を行う。これにより光が透過するべき充填された物質の量を変化させ、光の透過率を自由に調整できるようにする。【選択図】図２
0003140364.tif 000002
【実用新案登録請求の範囲】
【請求項１】
２枚の透明板を平行に配置し、その２枚の透明板の間に流動性のある有色かつ半透明な液体、気体、粒子などいずれか一種類の物質を充填する。光が透過するべき充填された物質の量を制御することにより、光の透過率を自由に調整できることを特徴とする調光ガラス。
【請求項２】
２枚の透明板を平行に配置し、その間隔距離を変えることができる特徴を有した調光ガラス。
【請求項３】
２枚の透明板の間に流動性のある有色かつ半透明な液体、気体、粒子などいずれか一種類の物質を充填し、その物質が移動することで２枚の透明板の間に存在するその物質の量の増減調整ができる特徴を有した調光ガラス。
【考案の詳細な説明】
【技術分野】
【０００１】  本考案は、光の透過率を自由に調整できる調光ガラスに関するものである。
【背景技術】
【０００２】  従来の調光ガラスは、透明ガラス状態か、くもりガラス状態の２種類のどちらかのみを選択するものである。【０００３】  従来の車両用プライバシーガラスは、設置したプライバシーガラスごとに固定した光の透過率で外部からの視線を遮るもので、車両内部から外部を見る時の光の透過率も固定している。
【考案の開示】
【考案が解決しようとする課題】
【０００４】  解決しようとする問題点は、従来の調光ガラスが、日の傾きや天候により変化する光度に対し、光の透過率を自由に調整できない点である。【０００５】  解決しようとする問題点は、従来の車両用プライバシーガラスが、運転者の個人差や年齢差による暗がりの中での視力の違いや昼夜の環境変化に対し、光の透過率を自由に調整できない点である。
【課題を解決するための手段】
【０００６】  本考案は、ガラスや合成樹脂などを素材とした透明板２枚を平行に配置し、その間に流動性がある有色かつ半透明な液体、気体、粒子などいずれか一種類の物質を充填し、平行した透明板２枚の間隔距離の制御と、その間を充填している物質の充満状態を保持しながらその物質を移動させ、量の増減を行うことを特徴とする。また、平行した２枚の透明板の間隔距離が最大のとき、２枚の透明板の間に充填した物質の量も最大となり、光の透過率が最小となる。また、平行した２枚の透明板の全面が密着した状態においては、その充填した物質は全量移動し、２枚の透明板の間には存在しなくなり、光の透過率は最大となる。このように光が透過するべき充填された物質の量を自由に変化させ、光の透過率を自由に調整できるものとする。
【考案の効果】
【０００７】  本考案の調光ガラスにより、自由に光の透過率を調整でき、取り込む光の強さや、視線を遮る程度を自由に調整できる。【０００８】  本考案の調光ガラスにより、車両用プライバシーガラスの光の透過率を自由に調整できるので、運転者の視界の確保の程度を自由に調整できる。
【考案を実施するための最良の形態】
【０００９】  以下、添付図面及び符号を利用して説明する。符号５ホース、符号６ベルト、符号７歯車、符号８軸、符号９間隔距離制御板、符号１０レバーは、窓枠内に設置もしくは窓枠の一部とし、窓枠と一体化することで無駄な空間を少なくできる。また、符号１と符号３の２枚の透明板の平行状態を安定して保持できる。【００１０】  充填する物質である符号４は、人体に安全で、かつ、気温変動の中で液体の場合は液体の状態を保ち、気体の場合は気体の状態を保つ、気化や凝固の変化の少ない性質のものを使用する。【００１１】  符号２充填用プラスチックの内側であり、符号１と符号３の２枚の透明板の間には、符号４充填物質のみが存在し、空気などその他の物質が混入していない状態にする。【００１２】  符号２充填用プラスチックは柔軟性があり耐久性のある合成樹脂などの適宜素材を使用する。【００１３】  符合５ホースの容積は、２枚の透明板の間に充填する物質である符号４の体積と同じ大きさ以上にする。【００１４】  符合５ホースの形状は、符号１と符号３の２枚の透明板の間に空気が流入しない状態であれば任意の形状に設定できる。【００１５】  符合２充填用プラスチックと符号５ホースの接合位置は、任意の位置に設定できる。【００１６】  符合３可動式の透明板及び符号９間隔距離制御板の動作を電動化することにより、遠隔操作が可能となる。
【実施例】
【００１７】  以下、添付図面に従って一実施例を説明する。符号１固定された透明板と符号３可動式の透明板を平行に設置する。その２枚の透明板の間を柔軟性があり耐久性のある素材を利用した符号２充填用プラスチックで接合する。符号２充填用プラスチックに符号５のホースを取り付ける。符号８軸と符号９間隔距離制御板は一体化し、符号８軸は回転可能な状態で窓枠に取り付ける。符号３可動式の透明板と符号９間隔距離制御板を連結させる。連結部分は、符号９間隔距離制御板と符号２可動式の透明板が潤滑な動作をするように必要な大きさの穴を双方に設ける。符号９間隔距離制御板が符号３可動式の透明板を支え、符号１固定式の透明板との平行状態を常時保持する。符号９の左右の間隔距離制御板の制御動作が完全に一致するように符号６ベルトと符号７歯車を組み込む。符号１０レバーを符号８軸の一方に取り付ける。符号２充填用プラスチックの内側を真空状態にしながら、符号５ホース末端から符号４充填物質を注入し充満させる。自然に放置した状態で空気などの他の物質の流入がないように符号５ホースの一部まで符号４充填物質を注入する。【００１８】  操作方法は、符号１０レバーを動かすことによって符号８軸と符号９間隔距離制御板を回転させ、符号１固定式の透明板と符号３可動式の透明板との間隔距離を調整する。これにより、符号４充填物質が符号２充填用プラスチックの内側と符号５ホースの間を移動することで、光が透過すべき符号４充填物質の量を変化させ、光の透過率を調整する。【００１９】  図１及び図２は、光の透過率が最小時の状態の図である。符号１０レバーを手前に引いたとき、符号９間隔距離制御板によって符号１固定式の透明板と符号２可動式の透明板の間隔が最大となるとともに、その間にある符号４充填物質の量が最大となり、光の透過率を最小にする。
図３及び図４は、光の透過率が中間時の状態の図である。符号１０レバーを中間の位置に回転させたとき、符号９間隔距離制御板によって符号１固定式の透明板と符号２可動式の透明板の間隔が中間となり、その間にある符号４充填物質の量も中間となる。充填物質の余剰分は符号５ホース部分に移動する。これにより光の透過率は中間となる。
図５及び図６は、光の透過率が最大時の状態の図である。符号１０レバーを押して回転させたとき、符号９間隔距離制御板によって符号１固定式の透明板と符号２可動式の透明板が密着状態になり、その間にある符号４充填物質はほぼ全量が符号５のホース部分に移動する。これにより光の透過率が最大となる。
【図面の簡単な説明】
【００２０】
【図１】光の透過率最小時の切断上面図
【図２】光の透過率最小時の正面図
【図３】光の透過率中間時の切断上面図
【図４】光の透過率中間時の正面図
【図５】光の透過率最大時の切断上面図
【図６】光の透過率最大時の正面図
【符号の説明】
【００２１】  １  固定式の透明板
２  充填用プラスチック
３  可動式の透明板
４  充填物質
５  ホース
６  ベルト
７  歯車
８  軸
９  間隔距離制御板
１０  レバー
【図１】
0003140364.tif 000003
【図２】
0003140364.tif 000004
【図３】
0003140364.tif 000005
【図４】
0003140364.tif 000006
【図５】
0003140364.tif 000007
【図６】
0003140364.tif 000008
【手続補正書】
【提出日】平成19年12月6日(2007.12.6)
【手続補正１】
【補正対象書類名】実用新案登録請求の範囲
【補正対象項目名】全文
【補正方法】変更
【補正の内容】
【実用新案登録請求の範囲】
【請求項１】
光の透過率を調整する範囲を透明板の全面もしくは面の一部とし、平行に配置した２枚の透明板において、２枚の透明板の間であって光の透過率を調整する範囲と重なる場所内に流動性があり有色かつ半透明な液体、気体、粒子などいずれか一種類の充填する物質の貯留空間を１つ以上有し、また、２枚の透明板の間または外または間と外の両方であって光の透過率を調整する範囲外の場所にも流動性があり有色かつ半透明な液体、気体、粒子などいずれか一種類の物質の貯留空間を１つ以上有する構造を持ち、２枚の透明板の間であって光の透過率を調整する範囲と重なる場所内にある貯留空間と２枚の透明板の間または外または間と外の両方であって光の透過率を調整する範囲外の場所にある貯留空間が１箇所もしくは複数箇所で接合している構造を持つことを特徴とする調光ガラス。
【請求項２】
平行に配置した２枚の透明板において、２枚の透明板の間隔を近づけたり離したりする動作を操作するための部材が、該部材の端部近傍を作用点とするように透明板の端部近傍と連結し、該部材の他方の端部近傍を支点または回転軸とするように窓枠などの固定した部材と連結させて取り付けられていることを特徴とする請求項１に記載の調光ガラス。
【請求項３】
平行に配置した２枚の透明板において、同じピッチを有する歯車状やネジ状の部材が、２箇所以上で透明板の端部近傍もしくは透明板の端部近傍と連結している請求項２に記載の部材に取り付けられていることを特徴とする請求項１に記載の調光ガラス。